(57)【要約】【課題】エラー発生時に、エラーメッセージをそれ自体に表示できるエラー表示可能な印刷機能付きプロジェクタを提供する。【解決手段】投影部１１と印刷部１２とを備えた印刷機能付きプロジェクタに、エラー発生を検出するエラー検出部２０、２１と、エラーが投影部１１と印刷部１２の何れの側で発生したかを判定するエラー判定部２２と、エラーメッセージをエラーの発生していない側に通知して表示させるエラー通知部２３とを設け、エラーメッセージとともに、エラーの復旧方法を表示させる。即ち、投影部１１でエラーが発生した場合には印刷部１２でエラーメッセージを印刷し、印刷部１２でエラーが発生した場合に、投影部１１でエラーメッセージを投影する。また、メール、FAXなどによりサポートセンター等に自動通知することもできる。【選択図】図２
2008304734.tif 000002
【特許請求の範囲】
【請求項１】
投影部と印刷部とを備えた印刷機能付きプロジェクタであって、エラー発生を検出するエラー検出部と、エラーが投影部と印刷部の何れの側で発生したかを判定するエラー判定部と、エラーメッセージをエラーの発生していない側に通知して表示させるエラー通知部とを備えたことを特徴とするエラー表示可能な印刷機能付きプロジェクタ。
【請求項２】
投影部でエラーが発生した場合に、印刷部でエラーメッセージを印刷することを特徴とする請求項１記載のエラー表示可能な印刷機能付きプロジェクタ。
【請求項３】
印刷部でエラーが発生した場合に、投影部でエラーメッセージを投影することを特徴とする請求項１記載のエラー表示可能な印刷機能付きプロジェクタ。
【請求項４】
エラー発生後に利用者が投影部を使用するときに、エラーメッセージを投影することを特徴とする請求項３記載のエラー表示可能な印刷機能付きプロジェクタ。
【請求項５】
エラー通知部が、電子メールまたはファックスにより外部にもエラー発生を通知することを特徴とする請求項１記載のエラー表示可能な印刷機能付きプロジェクタ。
【請求項６】
エラーが検出された場合に、LCDまたはLEDにはエラーの概要を表示させ、エラーの詳細は投影部あるいは印刷部に表示させることを特徴とする請求項１記載のエラー表示可能な印刷機能付きプロジェクタ。
【請求項７】
エラーメッセージとともに、エラーの復旧方法をも表示させることを特徴とする請求項１記載のエラー表示可能な印刷機能付きプロジェクタ。
【請求項８】
印刷部でエラーが発生した場合に、エラーの復旧方法を投影部でアニメーション表示させることを特徴とする請求項１記載のエラー表示可能な印刷機能付きプロジェクタ。
【発明の詳細な説明】
【技術分野】
【０００１】
本発明は、投影部と印刷部とを備えた印刷機能付きプロジェクタの改良に関するものであり、更に詳細には、エラー発生時にその表示をさせることができる印刷機能付きプロジェクタに関するものである。
【背景技術】
【０００２】
プロジェクタとプリンタとを一体化した印刷機能付きプロジェクタは、特許文献１、２、３等に示されるように従来から知られており、コンピュータや通信回線等から取り込んだ画像や文書をスクリーンや壁面に投影するとともに印刷することができるため、会議室等において次第に普及しつつある。
【０００３】
このような印刷機能付きプロジェクタには、様々なエラーが発生する可能性がある。例えば投影部では、ランプ切れや使用寿命によるランプ照度低下、冷却ファン異常による過熱など、印刷部ではインク切れ、ノズル詰まり、トナー切れ、紙詰まり、用紙切れなどが代表的なエラーである。このようなエラーが発生した場合、エラー表示ランプを点灯させることは可能であるが、それだけではエラーの詳細やエラーの復旧方法などをユーザーが認識することができない場合が多い。そして従来は、エラーの詳細やエラーの復旧方法などを印刷機能付きプロジェクタ自体に表示させることは行われていなかった。
【０００４】
なお、パソコンに接続したプリンタでインク切れなどのエラーが発生したような場合には、従来からパソコンの画面にエラーの詳細やエラーの復旧方法などを表示させている。しかし、プロジェクタとプリンタとを一体化した印刷機能付きプロジェクタは、必ずしもパソコンと接続された状態で使用されるとは限らないため、パソコンの画面をエラー表示用画面とすることは適当ではない。
【特許文献１】特開２００３−２０９６４６号公報
【特許文献２】特開２００４−５２４５５２号公報
【特許文献３】特開２００６−２４３６７２号公報
【発明の開示】
【発明が解決しようとする課題】
【０００５】
本発明は上記した従来の問題点を解決し、エラーが発生した場合にそのエラーの詳細やエラーの復旧方法などをそれ自体に表示させることができるようにしたエラー表示可能な印刷機能付きプロジェクタを提供するためになされたものである。
【課題を解決するための手段】
【０００６】
上記の課題を解決するためになされた請求項１の発明は、投影部と印刷部とを備えた印刷機能付きプロジェクタであって、エラー発生を検出するエラー検出部と、エラーが投影部と印刷部の何れの側で発生したかを判定するエラー判定部と、エラーメッセージをエラーの発生していない側に通知して表示させるエラー通知部とを備えたことを特徴とするものである。このエラー検出部は、投影部と印刷部にそれぞれ別個に設けても、あるいは単一のエラー検出部によって、投影部と印刷部の両方のエラーを検出できるものとしてもよい。
【０００７】
なお請求項２のように、投影部でエラーが発生した場合に、印刷部でエラーメッセージを印刷することができ、請求項３のように、印刷部でエラーが発生した場合に、投影部でエラーメッセージを投影することができる。この請求項３の発明では、請求項４のように、エラー発生後に利用者が投影部を使用するときに、エラーメッセージを投影することが好ましい。
【０００８】
また請求項５のように、エラー通知部が、電子メールまたはファックスにより外部にもエラー発生を通知することが可能である。
【０００９】
また請求項６のように、エラーが検出された場合に、LCDまたはLEDにはエラーの概要を表示させ、エラーの詳細は投影部あるいは印刷部に表示させることが好ましい。
【００１０】
さらに請求項７のようにエラーメッセージとともに、エラーの復旧方法をも表示させることができ、請求項８のように、印刷部でエラーが発生した場合に、エラーの復旧方法を投影部でアニメーション表示させることも可能である。
【発明の効果】
【００１１】
請求項１、２、３の発明によれば、投影部または印刷部でエラーが発生した場合には、エラー発生の無い方の部分でエラーメッセージの表示をすることができる。すなわち、投影部でエラーが発生した場合には、印刷部でエラーメッセージを印刷することができ、印刷部でエラーが発生した場合に、投影部でエラーメッセージを投影することができる。ユーザーはそのエラーメッセージの表示に基づいてエラー解消のための対応をすることができる。このエラーメッセージの表示は印刷機能付きプロジェクタ自体によって行われるので、パソコンなどと接続された状態で使用されていなくても支障はない。なお、印刷部でエラーが発生した場合には、請求項４のようにエラー発生後に利用者が投影部を使用するときにエラーメッセージを投影するようにしておけば、エラー検出が遅れることもない。
【００１２】
請求項５の発明によれば、エラー通知部が電子メールまたはファックスにより外部にもエラー発生を通知するので、例えばサポートセンター等の外部機関にも自動的に連絡が届き、修理などの必要な対策に遅れが生じない。
【００１３】
請求項６の発明によれば、エラーが検出された場合に、印刷機能付きプロジェクタまたはそのリモコン上のLCDまたはLEDにもエラー発生を表示させるので、エラーの発生していない側が使用されていない場合にも、エラー検出が遅れることもない。またこの場合、LCDまたはLEDにはエラーの概要を表示させ、エラーの詳細は投影部あるいは印刷部に表示させるので、読み取り易くなる。
【００１４】
また請求項７のように、エラーメッセージとともにエラーの復旧方法をも表示させるようにすればユーザーが対応し易くなり、特に請求項８のように印刷部でエラーが発生した場合に、エラーの復旧方法を投影部でアニメーション表示させるようにすれば、より分かり易くなる。
以下に本発明の好ましい実施形態を説明する。
【発明を実施するための最良の形態】
【００１５】
（全体構成）
図１は印刷機能付きプロジェクタの概念的な全体図であり、コンピュータや通信回線等から取り込んだ画像や文書をスクリーンや壁面に投影するプロジェクタ部１と、その画像や文書を印刷するプリンタ部２とを備えている。
【００１６】
図２は印刷機能付きプロジェクタの機器構成図である。
１１はプロジェクタ部１を構成する投影部である。この投影部１１は主に、光源、照明光学系、ＬＣＤ、レンズなどから構成されている。１２はプリンタ部２を構成する印刷部であり、紙に画像を印刷するものである。１３はボタン等からなる操作部であり、印刷機能付きプロジェクタの各種操作や設定のための部分である。１４はCPUを備え、ＲＯＭやＲＡＭと協動して各種演算、処理を行う制御部であり、印刷機能付きプロジェクタの全体の制御を行う。１５はLCD等からなる表示部であり、各種設定情報やエラー内容等を表示するものである。１６は外部のインターネットやLANとの間で通信を行う通信部、１７はFAX通信を行うための電話通信部、１８はハードディスクや不揮発性メモリー等の記憶手段を備え、画像や文書などのデータ類を記憶保持する記憶部、１９はＬＥＤである。
【００１７】
以上の構成は従来の印刷機能付きプロジェクタと同様であるが、本発明ではさらに、投影部１１のエラー発生を検出する投影部のエラー検出部２０と、印刷部１２のエラー発生を検出する印刷部のエラー検出部２１と、エラーが投影部１１と印刷部１２の何れの側で発生したかを判定するエラー判定部２２と、検出されたエラーに関するエラーメッセージをエラーの発生していない側に通知して表示させるエラー通知部２３とが設けられている。この実施形態では、図２に示すように印刷部１２のためのエラー検出部２１と、投影部１１のためのエラー検出部２０とを別個に設けたが、共通のエラー検出部によって投影部１１と印刷部１２のエラー発生を検出するようにしてもよい。
【００１８】
エラー検出部２０、２１がエラー発生を検出した際には、エラー判定部２２がエラー発生部位を判定し、エラー通知部２３がエラーメッセージを健全な側に通知して表示させる。すなわち、投影部１１でエラーが発生した場合には、エラー通知部２３が印刷部１２に通知してエラーメッセージを印刷させ、逆に印刷部１２でエラーが発生した場合には、エラー通知部２３が投影部１１に通知してエラーメッセージを投影させる。以下に詳細に説明する。
【００１９】
（エラー検出時の基本的動作）
図３のフローチャートはエラー判定部２２の機能を説明するもので、印刷機能付きプロジェクタの電源がオンの状態では常に動作している。このフローチャートに示すように、エラー判定部２２はエラー判断処理を開始（Ｓ１）すると、印刷部１２で故障によるエラーが発生しているか否かを判断し（Ｓ２）、故障発生の場合には印刷部１２のエラー発生を記憶部１８に保存する（Ｓ３）。次いで投影部１１で故障によるエラーが発生しているか否かを判断し（Ｓ４）、故障発生の場合には投影部１１のエラー発生を記憶部１８に保存する（Ｓ５）。このようにエラー判定部２２はエラー発生を常に監視しており、何れかの側でエラーが発生した場合には、エラー情報を記憶部１８に記憶させる。
【００２０】
図４のフローチャートはエラー通知部２３の機能を説明するもので、印刷機能付きプロジェクタの電源がオンの状態では常に動作している。エラー通知部２３はエラー通知処理を開始（Ｓ１１）すると、まずエラー情報の有無を記憶部１８から取得し（Ｓ１２）、取得したエラー情報が投影部１１のエラーか否かを判断する（Ｓ１３）。記憶部１８から取得したエラー情報が投影部１１のエラーであった場合には、図６、図７に示す「投影部エラー通知方法取得処理」を開始し（Ｓ１４）、さらに図８に示す「投影部エラー処理」を行う（Ｓ１５）。次いで取得したエラー情報が印刷部１２のエラーであるか否かを判断し（Ｓ１６）、印刷部１２のエラーであった場合には、図９、図１０に示す「印刷部エラー通知方法取得処理」を開始し（Ｓ１７）、さらに図１１に示す「印刷部エラー処理」を行う（Ｓ１８）。
【００２１】
これらの図３、図４のフローチャートに示されるように、エラー判定部２２とエラー通知部２３は常にエラー発生の有無を監視し、印刷部１２でエラーが発生したか、投影部１１で発生したかを判断して必要な処理を行う。以下に具体的な処理内容を説明する。
【００２２】
（投影部エラー通知方法取得処理）
本発明においては、投影部１１にエラーが発生したときの対応について、図５の上段に示すように印刷、メール、ＦＡＸ、ＬＥＤ、ＬＣＤ等の各項目につきチェックボックスを設定しておき、ユーザーが対応策を選択できるようにしておく。そして投影部１１でエラーが発生したときには、図６、図７（図６の続き）のフローチャートに従って、投影部エラー通知方法取得処理が開始される。
【００２３】
図６に示すように投影部エラー通知方法取得処理が開始（Ｓ２１）されると、図５のチェックボックスの「印刷」の項目がチェックされているかどうかを判断（Ｓ２２）し、チェックされている場合には「すぐに印刷」の項目がチェックされているかどうかを判断（Ｓ２３)する。「すぐに印刷」の項目がチェックされている場合には、リストに「すぐに印刷」を追加し（Ｓ２４）、チェックされていない場合にはリストに「利用者が使用時」を追加（Ｓ２５）する。更に「復旧方法を印刷」の項目がチェックされているかどうかを判断（Ｓ２６）し、チェックされている場合には「復旧方法を印刷」を追加（Ｓ２７）する。
【００２４】
続いて図７に示すように、「メール」の項目がチェックされているかどうかを判断（Ｓ２８）し、チェックされている場合にはリストに「メール」を追加（Ｓ２９）する。次に「FAX」の項目がチェックされているかどうかを判断（Ｓ３０）し、チェックされている場合にはリストに「FAX」を追加（Ｓ３１）する。次に「LED」の項目がチェックされているかどうかを判断（Ｓ３２）し、チェックされている場合にはリストに「LED」を追加（Ｓ３３）する。次に、「LCD」の項目がチェックされているかどうかを判断（Ｓ３４）し、チェックされている場合にはリストに「LCD」を追加（Ｓ３５）する。この場合には更に項目「詳細を表示」がチェックされているか否かを判断(Ｓ３６)し、チェックされている場合にはリストに「詳細を表示」を追加(Ｓ３７)する。以上の処理の終了後、必要な項目が追加されたリストを図４に示すＳ１５の「投影部エラー処理」に返す(Ｓ３８)。
【００２５】
図８は、上記の投影部エラー通知方法取得処理に続いて行われる投影部エラー処理の内容を示すフローチャートである。この処理が開始(Ｓ４１)されると、先ず上記したリストを読み込み(Ｓ４２)、「印刷」の項目がリストにあるか否かを判断(Ｓ４３)する。リストにある場合には、投影エラー印刷処理(Ｓ４４)が実行される。次に「メール」の項目がリストにあるか否かを判断(Ｓ４５)し、リストにある場合には、投影エラーメール送信処理(Ｓ４６)が実行される。次に「FAX」の項目がリストにあるか否かを判断(Ｓ４７)し、リストにある場合には、投影エラーFAX送信処理(Ｓ４８)が実行される。次に「LED」の項目がリストにあるか否かを判断(Ｓ４９)し、リストにある場合には、投影エラーLED点灯処理(Ｓ５０)が実行される。最後に「LCD」の項目がリストにあるか否かを判断(Ｓ５１)し、リストにある場合には、投影エラーLCD表示処理(Ｓ５２)が実行され、投影部エラー処理を終了(Ｓ５３)する。なおこれらの各処理の内容については後述する。
【００２６】
（印刷部エラー通知方法取得処理）
印刷部１２にエラーが発生した場合についても、図５の下段に示すように投影、メール、ＦＡＸ、ＬＥＤ、ＬＣＤ等の各項目につきチェックボックスを設定しておき、ユーザーが対応策を選択できるようにしておく。そして印刷部１２でエラーが発生したときには、図９、図１０（図９の続き）のフローチャートに従って、印刷部エラー通知方法取得処理が開始される。
【００２７】
この図９、図１０の処理手順も投影部エラー通知方法取得処理と同様であり、印刷部エラー通知方法取得が開始(Ｓ６１)されると、図５のチェックボックスの「投影」の項目がチェックされているかどうかを判断(Ｓ６２)し、チェックされている場合には「すぐに投影」の項目がチェックされているかどうかを判断(Ｓ６３)する。「すぐに投影」の項目がチェックされている場合には、リストに「すぐに投影」を追加(Ｓ６４)し、チェックされていない場合にはリストに「利用者が使用時」を追加(Ｓ６５)する。更に「復旧方法を投影」の項目がチェックされているかどうかを判断(Ｓ６６)し、チェックされている場合にはリストに「復旧方法を投影」を追加(Ｓ６７)するとともに、「アニメーション」の項目がチェックされているか否かの判断(Ｓ６８)を行い、チェックされている場合にはリストに「アニメーション」を追加(Ｓ６９)する。
【００２８】
続いて図１０に示すように、「メール」の項目がチェックされているかどうかを判断（Ｓ７０）し、チェックされている場合にはリストに「メール」を追加（Ｓ７１）する。次に「FAX」の項目がチェックされているかどうかを判断（Ｓ７２）し、チェックされている場合にはリストに「FAX」を追加（Ｓ７３）する。次に「LED」の項目がチェックされているかどうかを判断（Ｓ７４）し、チェックされている場合にはリストに「LED」を追加（Ｓ７５）する。次に、「LCD」の項目がチェックされているかどうかを判断（Ｓ７６）し、チェックされている場合にはリストに「LCD」を追加（Ｓ７７）する。この場合には更に項目「詳細を表示」がチェックされているか否かを判断(Ｓ７８)し、チェックされている場合にはリストに「詳細を表示」を追加(Ｓ７９)する。以上の処理の終了後、必要な項目が追加されたリストを図４に示すＳ１８の「印刷部エラー処理」に返す(Ｓ８０)。
【００２９】
図１１は、上記の印刷部エラー通知方法取得処理に続いて行われる印刷部エラー処理の内容を示すフローチャートである。この処理が開始(Ｓ９１)されると、先ず上記した印刷部エラー通知方法取得処理で得たリストを読み込み(Ｓ９２)、「投影」の項目がリストにあるか否かを判断(Ｓ９３)する。リストにある場合には、印刷エラー投影処理(Ｓ９４)が実行される。次に「メール」の項目がリストにあるか否かを判断(Ｓ９５)し、リストにある場合には、印刷エラーメール送信処理(Ｓ９６)が実行される。次に「FAX」の項目がリストにあるか否かを判断(Ｓ９７)し、リストにある場合には、印刷エラーFAX送信処理(Ｓ９８)が実行される。次に「LED」の項目がリストにあるか否かを判断(Ｓ９９)し、リストにある場合には、印刷エラーLED点灯処理(Ｓ１００)が実行される。最後に「LCD」の項目がリストにあるか否かを判断(Ｓ１０１)し、リストにある場合には、印刷エラーLCD表示処理(Ｓ１０２)が実行され、印刷部エラー処理を終了(Ｓ１０３)する。なおこれらの各処理の内容については後述する。
【００３０】
以下に、投影エラー印刷処理、印刷エラー投影処理、エラーメール処理、エラーFAX送信処理、エラーLED点灯処理、印刷エラーLCD表示処理、投影エラーLCD表示処理の各処理について説明する。
【００３１】
（投影エラー印刷処理）
図１２は投影エラー印刷処理（図８のＳ４４）のフローチャートであり、投影エラー印刷処理が開始（Ｓ１１１)されると、まず項目「復旧方法を印刷」がリストにあるかどうかを判断（Ｓ１１２)し、ある場合には復旧方法を付加したエラーレポートの印刷データを生成(Ｓ１１３)し、ない場合にはエラーレポートの印刷データを生成(Ｓ１１４)する。次に項目「すぐに印刷」がリストにあるかどうかを判断(Ｓ１１５)し、ある場合には生成されたエラーレポートを印刷部１２で印刷(Ｓ１１６)する。またない場合には、生成されたエラーレポートを記憶部１８に保存(Ｓ１１７)し、投影エラー印刷処理を終了(Ｓ１１８)する。
【００３２】
（印刷エラー投影処理）
図１３は印刷エラー投影処理（図１１のＳ９４）のフローチャートであり、印刷エラー投影処理が開始(Ｓ１２１)されると、まず項目「アニメーション」がリストにあるかどうかを判断(Ｓ１２２)し、ある場合にはアニメーションによる復旧方法の投影データを生成(Ｓ１２３)する。また、ない場合には項目「復旧方法を印刷」がリストにあるかどうかを判断(Ｓ１２４)し、ある場合には復旧方法を付加したエラーレポートの投影データを生成(Ｓ１２５)する。次に項目「すぐに投影」がリストにあるかどうかを判断(Ｓ１２６)し、ある場合には生成されたエラーレポートを投影部１１で投影(Ｓ１２７)し、ない場合には生成されたエラーレポートを記憶部１８に保存(Ｓ１２８)し、印刷エラー投影処理を終了(Ｓ１２９)する。このようにして、投影部１１でエラーが発生したときには印刷部１２で、また印刷部１２でエラーが発生したときには投影部１１で、エラーの内容やその復旧方法などのエラーレポートを印刷または投影し、ユーザーに知らせることができる。
なお、図１４に投影エラーの印刷例を示し、図１５に印刷エラーの投影例を示す。
【００３３】
（エラーメール送信処理、エラーFAX送信処理、エラーLED点灯処理）
これらの処理は投影エラーの場合にも、印刷エラーの場合にも共通である。
図１６はエラーメール送信処理のフローチャートであり、エラーメール送信処理を開始(Ｓ１３１)すると、まずエラーレポートを生成(Ｓ１３２)し、次に記憶部１８よりエラーを送信するメールアドレスを取得(Ｓ１３３)する。そして生成したエラーレポートを、通信部１６から取得したメールアドレスに送信(Ｓ１３４)し、エラーメール送信処理を終了(Ｓ１３５)する。図１７に示すエラーFAX送信処理も同様であり、エラーFAX送信処理を開始(Ｓ１４１)すると、まずエラーレポートを生成(Ｓ１４２)し、記憶部１８よりエラーを送信するＦＡＸ番号を取得(Ｓ１４３)する。そして生成したエラーレポートを、電話通信部１７から取得したＦＡＸ番号に送信(Ｓ１４４)し、エラーFAX送信処理を終了する。図１８に示すエラーLED点灯処理は、処理を開始(Ｓ１５１)すると、LED１９を点灯させてエラー発生を知らせ(Ｓ１５２)、処理を終了(Ｓ１５３)する。
【００３４】
（投影エラーLCD表示処理）
図１９は投影エラーLCD表示処理のフローチャートであり、投影エラーLCD表示処理を開始(Ｓ１６１)すると、先ずLCD表示用のエラーレポートを生成(Ｓ１６２)し、表示部１５のLCDに投影エラーの概要を表示(Ｓ１６３)する。次いで項目「詳細を印刷」がリストにあるか否かを判断(Ｓ１６４)し、リストにある場合には詳細なエラーレポートを生成(Ｓ１６５)し、生成されたエラーレポートを印刷部１２で印刷(Ｓ１６６)して、処理を終了(Ｓ１６７)する。
【００３５】
（印刷エラーLCD表示処理）
図２０は印刷エラーLCD表示処理のフローチャートであり、印刷エラーLCD表示処理が開始(Ｓ１７１)されると、先ずLCD表示用のデータを生成(Ｓ１７２)し、表示部１５のLCDに印刷エラーの概要を表示(Ｓ１７３)する。次いで項目「詳細を投影」がリストにあるか否かを判断(Ｓ１７４)し、リストにある場合には詳細なエラーレポートを生成(Ｓ１７５)し、これを投影部１１により投影(Ｓ１７６)して処理を終了(Ｓ１７７)する。
【００３６】
以上に説明したように、本発明によれば、投影部１１と印刷部１２とを備えた印刷機能付きプロジェクタにエラーが発生した場合に、そのエラーの詳細やエラーの復旧方法などをエラーが発生していない側に表示させることができるので、ユーザーはそのエラーメッセージの表示に基づいてエラー解消のための対応が可能である。
【図面の簡単な説明】
【００３７】
【図１】印刷機能付きプロジェクタの概念的な全体図である。
【図２】印刷機能付きプロジェクタの機器構成図である。
【図３】エラー判定部の機能を説明するフローチャートである。
【図４】エラー通知部の機能を説明するフローチャートである。
【図５】エラーが発生したときの対応を決定する設定画面である。
【図６】投影部エラー通知方法取得処理のフローチャートである。
【図７】図６の続きである。
【図８】投影部エラー処理を示すフローチャートである。
【図９】印刷部エラー通知方法取得処理のフローチャートである。
【図１０】図９の続きである。
【図１１】印刷部エラー処理を示すフローチャートである。
【図１２】投影エラー印刷処理のフローチャートである。
【図１３】印刷エラー投影処理のフローチャートである。
【図１４】投影エラーの印刷例である。
【図１５】印刷エラーの投影例である。
【図１６】エラーメール処理のフローチャートである。
【図１７】エラーFAX送信処理のフローチャートである。
【図１８】エラーLED点灯処理のフローチャートである。
【図１９】投影エラーLCD表示処理のフローチャートである。
【図２０】印刷エラーLCD表示処理のフローチャートである。
【符号の説明】
【００３８】
１  プロジェクタ部
２  プリンタ部
１１  投影部
１２  印刷部
１３  操作部
１４  制御部
１５  表示部
１６  通信部
１７  電話通信部
１８  記憶部
１９  ＬＥＤ
２０  投影部のエラー検出部
２１  印刷部のエラー検出部
２２  エラー判定部
２３  エラー通知部
【図１】
2008304734.tif 000003
【図２】
2008304734.tif 000004
【図３】
2008304734.tif 000005
【図４】
2008304734.tif 000006
【図５】
2008304734.tif 000007
【図６】
2008304734.tif 000008
【図７】
2008304734.tif 000009
【図８】
2008304734.tif 000010
【図９】
2008304734.tif 000011
【図１０】
2008304734.tif 000012
【図１１】
2008304734.tif 000013
【図１２】
2008304734.tif 000014
【図１３】
2008304734.tif 000015
【図１４】
2008304734.tif 000016
【図１５】
2008304734.tif 000017
【図１６】
2008304734.tif 000018
【図１７】
2008304734.tif 000019
【図１８】
2008304734.tif 000020
【図１９】
2008304734.tif 000021
【図２０】
2008304734.tif 000022